(57)【要約】【課題】  予約時間になると、会議室に設置された電子機器と、クライアントとが容易に無線により接続することができる会議予約システム、および、前記電子機器としてのプロジェクタを提供すること。【解決手段】  予約サーバ１は、クライアント５により会議室Ｋ３およびプロジェクタ３ｃの予約がなされると、予約内容を照合するための予約ＩＤをクライアント５に発行し、予約会議時間になるとプロジェクタ３ｃの電源をオンした後に、プロジェクタ３ｃがクライアント５と無線により接続するのに必要な予約ＩＤを含む接続情報をプロジェクタ３ｃに送付する。プロジェクタ３ｃは、接続情報により機器通信部１７を設定した後に、クライアント５からの予約ＩＤを含む認証信号を待ち受け、クライアント５からの認証信号を受信すると、認証信号に含まれる予約ＩＤと、接続情報の予約ＩＤとを照合し、予約ＩＤが一致すると、クライアント５に接続情報を送信する。【選択図】      図１
2006309297.tif 000002
【特許請求の範囲】
【請求項１】
複数の会議室および前記会議室ごとに設置された電子機器を予約するための予約テーブルを記憶するサーバと、前記サーバとネットワークを介して接続可能なクライアントコンピュータとを含む、会議予約システムであって、
前記電子機器は、前記サーバとネットワークを介して接続され、また無線通信を行うための機器通信部を有し、
前記クライアントコンピュータは、無線通信を行うためのクライアント通信部を有し、
前記サーバは、前記クライアントコンピュータにより前記予約テーブルに前記会議室および電子機器の予約がなされると、予約した前記クライアントコンピュータと、前記予約テーブルに記憶された予約内容とを、照合するための予約キーを前記クライアントコンピュータに発行し、さらに前記予約された会議時間になると前記電子機器の電源をオンした後に、前記電子機器が前記クライアントコンピュータと無線接続するのに必要な前記予約キーを含む接続情報を前記電子機器に送付し、
前記電子機器は、前記接続情報により前記機器通信部を設定した後に、前記クライアントコンピュータからの前記予約キーを含む認証信号を待ち受け、前記クライアントコンピュータからの前記認証信号を受信すると、前記認証信号に含まれる前記予約キーと、前記接続情報の予約キーとを照合し、前記予約キーが一致した場合に、前記クライアントコンピュータに前記接続情報を送信することを特徴とする会議予約システム。
【請求項２】
前記予約テーブルによる前記会議室および電子機器の予約は、前記サーバおよびクライアントコンピュータが接続するネットワーク上で公開して行なわれることを特徴とする請求項１に記載の会議予約システム。
【請求項３】
前記ネットワーク上で公開される前記会議室および電子機器の予約がなされる前記予約テーブルの予約画面は、選択可能な前記会議室の選択肢を表示し、所望の前記会議室が選択されると、前記選択された会議室の予約日および予約時間を入力する表示と、前記選択された会議室に設置されている前記電子機器の一覧を表示し、前記電子機器の予約は、前記電子機器の一覧の中から所望の電子機器が選択されることによりなされることを特徴とする請求項１または２に記載の会議予約システム。
【請求項４】
前記接続情報に含まれる情報は、前記予約キーに加えて、少なくとも前記電子機器および前記クライアントコンピュータのＩＰアドレスと、無線通信の識別子であるＥＳＳＩＤと、無線通信の暗号化に関する識別子とを含むことを特徴とする請求項１〜３のいずれか一項に記載の会議予約システム。
【請求項５】
前記予約キーは、一意に定められる文字列と、任意に定められる文字列とから構成されていることを特徴とする請求項１〜４のいずれか一項に記載の会議予約システム。
【請求項６】
複数の会議室および前記会議室ごとに設置された電子機器を予約するための予約テーブルを記憶するサーバと、前記サーバとネットワークを介して接続可能なクライアントコンピュータとを含む会議予約システムにおいて、前記サーバとネットワークを介して接続された前記電子機器としてのプロジェクタであって、
前記プロジェクタは、無線通信を行うための機器通信部と、前記機器通信部による無線通信を制御する制御部とを有し、
前記クライアントコンピュータは、無線通信を行うためのクライアント通信部を有し、
前記サーバは、前記クライアントコンピュータにより前記予約テーブルに前記会議室および電子機器の予約がなされると、予約した前記クライアントコンピュータと、前記予約テーブルに記憶された予約内容とを、照合するための予約キーを前記クライアントコンピュータに発行し、さらに前記予約された会議時間になると前記プロジェクタの電源をオンした後に、前記プロジェクタが前記クライアントコンピュータと無線接続するのに必要な前記予約キーを含む接続情報を前記プロジェクタに送付し、
前記制御部は、前記接続情報により前記機器通信部を設定した後に、前記クライアントコンピュータからの前記予約キーを含む認証信号を待ち受け、前記クライアントコンピュータからの前記認証信号を受信すると、前記認証信号に含まれる前記予約キーと、前記接続情報の予約キーとを照合し、前記予約キーが一致した場合に、前記クライアントコンピュータに前記接続情報を送信することことを特徴とするプロジェクタ。
【請求項７】
複数の会議室および前記会議室ごとに設置された電子機器を予約するための予約テーブルを記憶するサーバと、前記サーバとネットワークを介して接続可能なクライアントコンピュータとを含む、会議予約システムであって、
前記電子機器は、前記サーバとネットワークを介して接続され、また無線通信を行うための機器通信部を有し、
前記クライアントコンピュータは、無線通信を行うためのクライアント通信部を有し、
前記サーバは、前記クライアントコンピュータにより前記予約テーブルに前記会議室および電子機器の予約がなされると、予約した前記クライアントコンピュータと、前記予約テーブルに記憶された予約内容とを、照合するための予約キーを前記クライアントコンピュータに発行し、さらに前記予約された会議時間になると前記電子機器の電源をオンした後に、前記電子機器が前記クライアントコンピュータと無線接続するのに必要な前記予約キーを含む接続情報を前記電子機器に送付し、
前記電子機器は、前記接続情報により前記機器通信部を設定した後、広域に前記予約キーを含む認証信号を送信し、
前記クライアントコンピュータは、前記電子機器からの認証信号を受信すると、前記認証信号に含まれる前記予約キーと、前記サーバから発行された予約キーとを照合し、前記予約キーが一致した場合に、前記電子機器に適合信号を送信し、
前記適合信号を受信した前記電子機器は、前記クライアントコンピュータに前記接続情報を送信することを特徴とする会議予約システム。
【請求項８】
複数の会議室および前記会議室ごとに設置された電子機器を予約するための予約テーブルを記憶するサーバと、前記サーバとネットワークを介して接続可能なクライアントコンピュータとを含む会議予約システムにおいて、前記サーバとネットワークを介して接続された前記電子機器としてのプロジェクタであって、
前記プロジェクタは、無線通信を行うための機器通信部と、前記機器通信部による無線通信を制御する制御部とを有し、
前記クライアントコンピュータは、無線通信を行うためのクライアント通信部を有し、
前記サーバは、前記クライアントコンピュータにより前記予約テーブルに会議室および電子機器の予約がなされると、予約した前記クライアントコンピュータと、前記予約テーブルに記憶された予約内容とを、照合するための予約キーを前記クライアントコンピュータに発行し、
さらに前記予約された会議時間になると前記プロジェクタの電源をオンした後に、前記プロジェクタが前記クライアントコンピュータと無線接続するのに必要な前記予約キーを含む接続情報を前記プロジェクタに送付し、
前記制御部は、前記接続情報により前記機器通信部を設定した後、広域に前記予約キーを含む認証信号を送信し、前記認証信号を受信したクライアントコンピュータからの、前記認証信号に含まれる前記予約キーと、前記サーバから発行された予約キーとが一致した場合に送信される適合信号を受信すると、前記クライアントコンピュータに前記接続情報を送信することを特徴とする会議予約システムのプロジェクタ。
【発明の詳細な説明】
【技術分野】
【０００１】
本発明は、会議室および会議室に備え付けられている電子機器を予約するための会議予約システムにおいて、前記電子機器と、会議予約システムのクライアントコンピュータ（以降、「クライアント」という）との、接続手続きを支援する会議予約システム、および前記電子機器としてのプロジェクタに関する。
【背景技術】
【０００２】
パーソナルコンピュータや、プロジェクタの普及に伴い、プロジェクタで拡大投写した画面を用いた会議が頻繁に行なわれるようになっている。このような会議は、企業などの会議室に備え付けられているプロジェクタを用いることが多い。会議室に備え付けられているプロジェクタの多くは、有効会議スペースの確保のため、または、投写映像の見易さなどの理由により、会議室の天井に設置（以降、「天吊り」という）されている。
天吊りされたプロジェクタにより映像を投写するためには、ケーブルなどの配線が不要な無線ＬＡＮ（Local Area Network）により接続する方法が適している。
【０００３】
企業や学校のように複数の会議室がある場合、会議の出席人数や、会議の内容に応じて、会議を行うのに相応しい会議室を確保しなければならない。また、プロジェクタを用いて会議を行うためには、会議室とともにプロジェクタも予約し、さらに持ち込んだクライアントと、プロジェクタとを、接続する必要があった。
このような点に鑑み、以下のような会議室および会議室に備え付けられている電子機器などの備品の予約システムが知られている。
特許文献１の機器制御システムでは、予約サーバに接続したクライアントから会議室の予約を行い、予約された時間になると、会議室ごとに設置された機器制御システム専用の制御装置が会議室の備品の電源を投入し使用可能な状態とする。会議室の備品は、会議室の照明や、窓の電動カーテン、エアコン、ＯＨＰ（Overhead Projector）などである。
【０００４】
また、特許文献２の予約サーバシステムでは、クライアントは、予約サーバにネットワークを介して接続し、サーバが提供する公開画面上で会議室の予約を行うことにより会議室および備品の予約状況を関係者に知らしめる。さらに、サーバにＤＨＣＰ（Dynamic Host Configuration Protocol）機能を持たせることにより、会議室に持ち込まれたクライアントから要求があれば、ＩＰアドレスを自動的に付与する。これにより、ネットワーク設定に関する知識の乏しい会議参加者であっても、簡単に会議室内のネットワークへの接続が可能であるとしている。
また、例えば、無線ＬＡＮにおけるアドホックモード（ad hoc mode）により、会議室に持ち込んだクライアントと、備え付けのプロジェクタとを接続する場合、相手側のＩＰアドレスや、ＥＳＳＩＤ（Extended Service Set Identifier）と呼ばれる識別子、通信データを暗号化するＷＥＰ（Wired Equivalent Privacy）の設定など、ネットワークの設定を行わねばならない。
このような専門知識を要するネットワーク設定を簡便に行うために、クライアントに専用の接続用プログラムをインストールする方法や、クライアントに専用の接続支援機器を取り付ける方法が知られていた。
【０００５】
【特許文献１】特開平９−１２８４４６号公報
【特許文献２】特開２００２−１０９４４４号公報
【発明の開示】
【発明が解決しようとする課題】
【０００６】
しかしながら、特許文献１の機器制御システムでは、会議室およびプロジェクタの確保はできるものの、プロジェクタと、持ち込んだクライアントとの接続設定は、利用者が自分で行わなければならなかった。
また、特許文献２の予約サーバシステムでは、持ち込んだクライアントは、会議室の有線ネットワークには接続できるが、さらにプロジェクタとの接続を確立するためには、ネットワークに接続している機器の中からプロジェクタの製品型番を探してプロジェクタのＩＰアドレスを指定するなどの煩わしい手続きを行わなければならなかった。また、クライアントと、プロジェクタとの接続は、有線によるものであるため、事前に接続用のケーブルを準備しておかねばならず、また、接続後も、ケーブルの長さや配線上の制約によりクライアントの設置場所を含めて、自由度が低かった。
【０００７】
また、無線ＬＡＮにより接続するために、クライアントに専用の接続用プログラムや、専用の接続支援機器をセットしておく場合、あらかじめ接続用プログラムや、接続支援機器を準備しなければならなかった。さらに、使用者は会議室に到着したら、接続用プログラムを実行したり、接続支援機器を操作して、接続を確立しなければならなかった。
このように、従来の会議予約システムにおいては、会議室に備え付けのプロジェクタと、持ち込んだクライアントとを無線接続するためには、煩わしいネットワーク設定を行わなければならないという問題点を有していた。
【０００８】
上記課題を解決するために、本発明では、予約時間になると、会議室に設置された電子機器と、クライアントとが容易に無線により接続することができる会議予約システム、および、前記電子機器としてのプロジェクタを提供することを目的とする。
【課題を解決するための手段】
【０００９】
前記目的を達成するために、本発明の会議予約システムによれば、複数の会議室および会議室ごとに設置された電子機器を予約するための予約テーブルを記憶するサーバと、サーバとネットワークを介して接続可能なクライアントコンピュータとを含む、会議予約システムであって、電子機器は、サーバとネットワークを介して接続され、また無線通信を行うための機器通信部を有し、クライアントコンピュータは、無線通信を行うためのクライアント通信部を有し、サーバは、クライアントコンピュータにより予約テーブルに会議室および電子機器の予約がなされると、予約したクライアントコンピュータと、予約テーブルに記憶された予約内容とを、照合するための予約キーをクライアントコンピュータに発行し、さらに予約された会議時間になると電子機器の電源をオンした後に、電子機器がクライアントコンピュータと無線接続するのに必要な予約キーを含む接続情報を電子機器に送付し、電子機器は、接続情報により機器通信部を設定した後に、クライアントコンピュータからの予約キーを含む認証信号を待ち受け、クライアントコンピュータからの認証信号を受信すると、認証信号に含まれる予約キーと、接続情報の予約キーとを照合し、予約キーが一致した場合に、クライアントコンピュータに接続情報を送信することを特徴とする。
【００１０】
この構成によれば、サーバは、クライアントにより予約テーブルに会議室および電子機器の予約がなされると、予約したクライアントと、予約テーブルに記憶された予約内容とを、照合するための予約キーをクライアントに発行し、さらに予約された会議時間になると電子機器の電源をオンした後に、電子機器がクライアントと無線接続するのに必要な予約キーを含む接続情報を電子機器に送付することから、電子機器は、予約時間になると起動し、クライアントと無線接続するための準備を始める。
電子機器は、接続情報により機器通信部を設定した後に、クライアントコンピュータからの予約キーを含む認証信号を待ち受け、クライアントコンピュータからの認証信号を受信すると、認証信号に含まれる予約キーと、接続情報の予約キーとを照合し、予約キーが一致した場合に、クライアントコンピュータに接続情報を送信することから、電子機器は、予約したクライアントが確認できると、クライアントに接続情報を送信し、無線接続可能な状態に導く。接続情報を受信したクライアントは、接続情報により、電子機器との無線接続を確立することができる。
従って、本会議予約システムによれば、予約時間になると、会議室に設置された電子機器と、クライアントとが容易に無線により接続することができる。
【００１１】
本発明に係る会議予約システムによれば、予約テーブルによる会議室および電子機器の予約は、サーバおよびクライアントコンピュータが接続するネットワーク上で公開して行なわれることが好ましい。
【００１２】
この構成によれば、予約テーブルによる会議室および電子機器の予約は、サーバおよびクライアントコンピュータが接続するネットワーク上で公開して行なわれることから、会議予約システムの使用者は、会議室および電子機器の既存の予約状況を確認しながら、各自必要な予約を行うことができる。
従って、本会議予約システムによれば、効率的に会議室および電子機器の予約を行うことができる。
【００１３】
本発明に係る会議予約システムによれば、ネットワーク上で公開される会議室および電子機器の予約がなされる予約テーブルの予約画面は、選択可能な会議室の選択肢を表示し、所望の会議室が選択されると、選択された会議室の予約日および予約時間を入力する表示と、選択された会議室に設置されている電子機器の一覧を表示し、電子機器の予約は、電子機器の一覧の中から所望の電子機器が選択されることによりなされることが好ましい。
【００１４】
この構成によれば、電子機器の予約は、選択された会議室に設置されている電子機器の一覧の中から所望の電子機器が選択されることによりなされることから、電子機器の予約のために新たに専用の画面を開くなどの操作が不要であり、会議室の予約時のオプションとして簡便に行うことができる。
従って、本会議予約システムによれば、会議室および電子機器の予約を簡便に行うことができる。
【００１５】
本発明に係る会議予約システムによれば、接続情報に含まれる情報は、予約キーに加えて、少なくとも電子機器およびクライアントコンピュータのＩＰアドレスと、無線通信の識別子であるＥＳＳＩＤと、無線通信の暗号化に関する識別子とを含むことが好ましい。
【００１６】
この構成によれば、接続情報に含まれる情報は、予約キーに加えて、少なくとも電子機器およびクライアントコンピュータのＩＰアドレスと、無線通信の識別子であるＥＳＳＩＤと、無線通信の暗号化に関する識別子とを含むことから、接続情報には、機密を保持しながら無線通信を行うために必要な情報が含まれている。
従って、本会議予約システムによれば、電子機器と、クライアントとが機密を保持しながら無線通信を行うことができる。
【００１７】
本発明に係る会議予約システムによれば、予約キーは、一意に定められる文字列と、任意に定められる文字列とから構成されていることが好ましい。
【００１８】
この構成によれば、予約キーは、一意に定められる文字列と、任意に定められる文字列とから構成されていることから、会議の予約者は、任意に定められる文字列に識別のための文字をあてがうことができる。
よって、本会議予約システムによれば、会議の予約者は、予約キーの任意文字列から、予約した会議内容を喚起することができる。
【００１９】
前記目的を達成するために、本発明の会議予約システムのプロジェクタによれば、複数の会議室および会議室ごとに設置された電子機器を予約するための予約テーブルを記憶するサーバと、サーバとネットワークを介して接続可能なクライアントコンピュータとを含む会議予約システムにおいて、サーバとネットワークを介して接続された電子機器としてのプロジェクタであって、プロジェクタは、無線通信を行うための機器通信部と、機器通信部による無線通信を制御する制御部とを有し、クライアントコンピュータは、無線通信を行うためのクライアント通信部を有し、サーバは、クライアントコンピュータにより予約テーブルに会議室および電子機器の予約がなされると、予約したクライアントコンピュータと、予約テーブルに記憶された予約内容とを、照合するための予約キーをクライアントコンピュータに発行し、さらに予約された会議時間になるとプロジェクタの電源をオンした後に、プロジェクタがクライアントコンピュータと無線接続するのに必要な予約キーを含む接続情報をプロジェクタに送付し、制御部は、接続情報により機器通信部を設定した後に、クライアントコンピュータからの予約キーを含む認証信号を待ち受け、クライアントコンピュータからの認証信号を受信すると、認証信号に含まれる予約キーと、接続情報の予約キーとを照合し、予約キーが一致した場合に、クライアントコンピュータに接続情報を送信することを特徴とする。
【００２０】
この構成によれば、サーバは、クライアントにより予約テーブルに会議室および電子機器の予約がなされると、予約したクライアントと、予約テーブルに記憶された予約内容とを、照合するための予約キーをクライアントに発行し、さらに予約された会議時間になるとプロジェクタの電源をオンした後に、プロジェクタがクライアントと無線接続するのに必要な予約キーを含む接続情報をプロジェクタに送付することから、プロジェクタは、予約時間になると起動し、クライアントと無線接続するための準備を始める。
さらにプロジェクタの制御部は、接続情報により機器通信部を設定した後に、クライアントからの予約キーを含む認証信号を待ち受け、クライアントからの認証信号を受信すると、認証信号に含まれる予約キーと、接続情報の予約キーとを照合し、予約キーが一致した場合に、クライアントコンピュータに接続情報を送信することから、プロジェクタは、予約したクライアントが確認できると、クライアントに接続情報を送信し、無線接続可能な状態に導く。接続情報を受信したクライアントは、接続情報により、電子機器との無線接続を確立することができる。
従って、本会議予約システムのプロジェクタは、予約時間になると、クライアントと容易に無線により接続することができる。
【００２１】
前記目的を達成するために、本発明の会議予約システムによれば、複数の会議室および会議室ごとに設置された電子機器を予約するための予約テーブルを記憶するサーバと、サーバとネットワークを介して接続可能なクライアントコンピュータとを含む、会議予約システムであって、電子機器は、サーバとネットワークを介して接続され、また無線通信を行うための機器通信部を有し、クライアントコンピュータは、無線通信を行うためのクライアント通信部を有し、サーバは、クライアントコンピュータにより予約テーブルに会議室および電子機器の予約がなされると、予約したクライアントコンピュータと、予約テーブルに記憶された予約内容とを、照合するための予約キーをクライアントコンピュータに発行し、さらに予約された会議時間になると電子機器の電源をオンした後に、電子機器がクライアントコンピュータと無線接続するのに必要な予約キーを含む接続情報を電子機器に送付し、電子機器は、接続情報により機器通信部を設定した後、広域に予約キーを含む認証信号を送信し、クライアントコンピュータは、電子機器からの認証信号を受信すると、認証信号に含まれる予約キーと、サーバから発行された予約キーとを照合し、予約キーが一致した場合に、電子機器に適合信号を送信し、適合信号を受信した電子機器は、クライアントコンピュータに接続情報を送信することを特徴とする。
【００２２】
この構成によれば、サーバは、クライアントにより予約テーブルに会議室および電子機器の予約がなされると、予約したクライアントと、予約テーブルに記憶された予約内容とを、照合するための予約キーをクライアントに発行し、さらに予約された会議時間になると電子機器の電源をオンした後に、電子機器がクライアントと無線接続するのに必要な予約キーを含む接続情報を電子機器に送付することから、電子機器は、予約時間になると起動し、クライアントと無線接続するための準備を始める。
電子機器は、接続情報により機器通信部を設定した後、広域に予約キーを含む認証信号を送信し、クライアントは、電子機器からの認証信号を受信すると、認証信号に含まれる予約キーと、サーバから発行された予約キーとを照合し、予約キーが一致した場合に、電子機器に適合信号を送信し、適合信号を受信した電子機器は、クライアントに接続情報を送信することから、電子機器は、予約したクライアントが確認できると、クライアントに接続情報を送信し、無線接続可能な状態に導く。接続情報を受信したクライアントは、接続情報により、電子機器との無線接続を確立することができる。
従って、本会議予約システムによれば、予約時間になると、会議室に設置された電子機器と、クライアントとが容易に無線により接続することができる。
【００２３】
前記目的を達成するために、本発明の会議予約システムのプロジェクタによれば、複数の会議室および会議室ごとに設置された電子機器を予約するための予約テーブルを記憶するサーバと、サーバとネットワークを介して接続可能なクライアントコンピュータとを含む会議予約システムにおいて、サーバとネットワークを介して接続された電子機器としてのプロジェクタであって、プロジェクタは、無線通信を行うための機器通信部と、機器通信部による無線通信を制御する制御部とを有し、クライアントコンピュータは、無線通信を行うためのクライアント通信部を有し、サーバは、クライアントコンピュータにより予約テーブルに会議室および電子機器の予約がなされると、予約したクライアントコンピュータと、予約テーブルに記憶された予約内容とを、照合するための予約キーをクライアントコンピュータに発行し、さらに予約された会議時間になるとプロジェクタの電源をオンした後に、プロジェクタがクライアントコンピュータと無線接続するのに必要な予約キーを含む接続情報をプロジェクタに送付し、制御部は、接続情報により機器通信部を設定した後、広域に予約キーを含む認証信号を送信し、認証信号を受信したクライアントコンピュータからの、認証信号に含まれる予約キーと、サーバから発行された予約キーとが一致した場合に送信される適合信号を受信すると、クライアントコンピュータに接続情報を送信することを特徴とする。
【００２４】
この構成によれば、サーバは、クライアントにより予約テーブルに会議室および電子機器の予約がなされると、予約したクライアントと、予約テーブルに記憶された予約内容とを、照合するための予約キーをクライアントに発行し、さらに予約された会議時間になるとプロジェクタの電源をオンした後に、プロジェクタがクライアントと無線接続するのに必要な予約キーを含む接続情報をプロジェクタに送付することから、プロジェクタは、予約時間になると起動し、クライアントと無線接続するための準備を始める。
さらにプロジェクタの制御部は、接続情報により機器通信部を設定した後、広域に予約キーを含む認証信号を送信し、認証信号を受信したクライアントコンピュータからの、認証信号に含まれる予約キーと、サーバから発行された予約キーとが一致した場合に送信される適合信号を受信すると、クライアントコンピュータに接続情報を送信することから、プロジェクタは、予約したクライアントが確認できると、クライアントに接続情報を送信し、無線接続可能な状態に導く。接続情報を受信したクライアントは、接続情報により、電子機器との無線接続を確立することができる。
従って、本会議予約システムのプロジェクタは、予約時間になると、会議室に設置された電子機器と、クライアントとが容易に無線により接続することができる。
【発明を実施するための最良の形態】
【００２５】
以下、添付図面に基づいて、本発明の実施形態を詳細に説明する。
【００２６】
（実施形態１）
《会議予約システムの概要》
図１は、本実施形態の会議予約システムにおける一実施形態のシステム構成図である。図１は、複数の会議室を有する企業や、学校などにおける会議予約システム１００を表している。
会議予約システム１００は、予約サーバ１と、複数の会議室Ｋ１〜Ｋｎごとに設置されたプロジェクタ３ａ〜３ｎと、クライアント５と、それぞれを接続可能なネットワークとしてのＬＡＮ（Local Area Network）７などから構成されている。
予約サーバ１は、サーバであり、複数の会議室Ｋ１〜Ｋｎおよび会議室Ｋ１〜Ｋｎごとに設置された電子機器を予約するための予約テーブル（図示せず）と、予約テーブルに新たな会議の予約をするための予約画面情報をクライアント５に配信したり、新規に設置された電子機器を追加登録するなど、会議の予約に必要な処理の順序と内容を規定した会議予約メインプログラムなどを記憶している。会議予約メインプログラムは、予約サーバ１に駐在している。
【００２７】
プロジェクタ３ａ〜ｎは、会議室Ｋ１〜Ｋｎごとに設置された電子機器の一つであり、全ての会議室に１台づつ設置されている。電子機器としては、プロジェクタの他に、例えば、ＤＶＤ（Digital Versatile Disk）プレーヤや、電子黒板などがある。これらの電子機器は、全ての会議室Ｋ１〜Ｋｎに設置されている訳ではなく、設置されている機器は、会議室Ｋ１〜Ｋｎごとに異なっている。
プロジェクタ３ａ〜ｎは、ＬＡＮ７からのケーブルおよび交流電源が接続された状態で各会議室に天吊りされている。なお、天吊りに限定するものではなく、プロジェクタ３ａ〜ｎは、会議室のテーブルに設置されていても良い。
【００２８】
クライアント５は、クライアントコンピュータであり、例えば、ノート型のパーソナルコンピュータである。クライアント５には、ＬＡＮカードが装着され、また、予約サーバの会議予約メインプログラムと対応する会議予約サブプログラムがインストールされている。
図１では、説明を簡単にするためにクライアントは、クライアント５、１台のみを図示しているが、実際はクライアント５と同様な構成を持つクライアントが複数台存在している。これらのクライアントは、ＬＡＮ７に接続した状態で会議予約サブプログラムを実行することにより、予約サーバ１の予約テーブルへのアクセスが可能となる。
【００２９】
《プロジェクタおよびクライアントの概要》
図２は、本実施形態の会議予約システムの一実施形態におけるプロジェクタおよびクライアントの概略構成図である。図２は、会議室Ｋ３のプロジェクタ３ｃと、会議室Ｋ３に持ち込んだクライアント５との概略構成を示している。プロジェクタ３ｃは、ＬＡＮ７に接続しており、予約サーバ１によるアクセスが可能な状態となっている。クライアント５は、会議室Ｋ３に持ち込んだ段階では、スタンドアローンである。まず、プロジェクタ３ｃの概略構成について説明する。
プロジェクタ３ｃは、光源としてのランプ９が放射した光を、赤色光、青色光、緑色光の光の３原色成分に分離し、各色光毎に光学部１０に含まれる光変調素子である各色光用の液晶ライトバルブにより外部から供給される映像信号に応じて変調し、再度合成してスクリーンＳＣに投写する、いわゆる「液晶３板式プロジェクタ」である。
プロジェクタ３ｃは、ランプ９、光学部１０、リモコン１１、操作受付け部１２、制御部１３、記憶部１４、Ｉ／Ｏブリッジ部１５、ＬＡＮカード１６、機器通信部１７、映像信号処理部１８、液晶パネル駆動部１９、ランプ駆動部２０、電源部２１などから構成されている。
【００３０】
ランプ９は、プロジェクタ３ｃが投写する映像の光源であり、高圧水銀ランプや、メタルハライドランプなどの高輝度が得られる放電式のランプである。
光学部１０は、ランプ９が放射する光の輝度分布を略均一化するインテグレータ光学系と、輝度分布の安定した光を光の３原色である赤色、緑色、青色の各色光成分に分離して各色光用の液晶ライトバルブに供給する分離光学系と、液晶ライトバルブにて各色光毎に映像信号Voutに応じて変調された各色光を、再度合成する合成光学系（いずれも図示せず）とを含んで構成されている。
光学部１０は、合成光学系から射出されるフルカラーで略平行な変調光を内蔵する投写レンズで拡大して、スクリーンＳＣにフルカラー映像を投写する。
リモコン１１は、リモコンであり、プロジェクタ３ｃを操作するための複数の操作用ボタンを備えている。また、プロジェクタ３ｃの本体上面にも、複数の操作用ボタンを備えた操作部（図示せず）が設けられている。
【００３１】
操作受付け部１２は、リモコン１１への操作がなされると、操作を受付け、制御部１３へ各種動作のトリガとなる操作信号を送る。操作信号には、プロジェクタ３ｃを起動するための起動信号などが含まれる。
制御部１３は、ＣＰＵ（Central Processing Unit）であり、バスラインＢusを介して、各部との信号のやり取りを行う。制御部１３は、例えばリモコン１１に電源オフ操作がなされてシャットダウンした後、動作クロックを低速にした待機モードとなる。待機モードでは、制御部１３は、リモコン１１などからの起動信号を待ち受ける。待機モードは、電源部２１に外部電源５５からの電力供給がある限り継続する。なお、制御部１３が、動作時に高速なクロックで動作するメインＣＰＵと、待機時に低速で動作するサブＣＰＵとの２つのＣＰＵを備える構成であっても良い。
記憶部１４は、例えば、フラッシュメモリなどデータの書き換えが可能な不揮発性のメモリにより構成されている。記憶部１４には、プロジェクタ３ｃの動作を指示および制御するための様々な制御プログラムや、ファームウエア、および付随するデータが記憶されている。
【００３２】
制御プログラムには、予約サーバ１がプロジェクタ３ｃにアクセスするためのリモート接続プログラムが含まれている。リモート接続プログラムは、予約サーバ１からＬＡＮカード１６に送られて来る起動信号により、プロジェクタ３ｃを起動させる。リモート接続プログラムには、予約サーバ１から接続信号が送られて来ると、接続信号に含まれる無線通信の設定値を機器通信部１７に設定するなどの、クライアントと無線接続するための処理の順番と内容が規定されている。リモート接続プログラムは、プロジェクタ３ｃに駐在し、予約サーバ１からのプロジェクタ３ｃへのアクセスを可能にしている。
Ｉ／Ｏブリッジ部１５は、サウスブリッジであり、ＬＡＮカード１６や、機器通信部１７の無線ＬＡＮカードを制御するためのＰＣＭＣＩＡ（Personal Computer Memory Card International Association）に対応したカードコントローラなどの各種デバイスコントローラを搭載している。
【００３３】
ＬＡＮカード１６は、ＬＡＮカードであり、ケーブルにより常時ＬＡＮ７に接続されている。
機器通信部１７は、無線ＬＡＮカードであり、例えばIEEE 802.11b（IEEE 802.11 High-Rate Direct Sequence），IEEE 802.11gなどの無線ＬＡＮ規格に対応した無線ＬＡＮカードである。なお、機器通信部１７は、無線ＬＡＮカードに限定するものではない。例えば、ＵＳＢ（Universal Serial Bus）ポートへ接続する無線ＬＡＮアダプタであっても良いし、ＰＣＩ（Peripheral Components Interconnect）バス対応の内蔵型の無線ＬＡＮボードであっても良い。
【００３４】
映像信号処理部１８は、映像信号コンバータ（図示せず）を含んで構成されている。映像信号コンバータは、入力端子５６またはＩ／Ｏブリッジ部１５を介して供給されるアナログ映像信号ＶinをＡ／Ｄ変換し、デジタル信号とする。これは、映像信号Ｖinに各種の映像信号処理を施すために行なわれる。
映像信号処理部１８は、デジタル信号に変換された映像信号を、液晶ライトバルブで表示するのに適した信号とするために、映像データをフレームメモリ（図示せず）に書き込み、所定の条件で読み出すなどの映像信号処理を施した後、再度アナログ映像信号に変換して映像信号Voutとして出力する。映像信号処理には、映像信号にて表される映像を拡大および縮小することにより液晶ライトバルブの持つ解像度に合わせるスケーリング処理や、映像信号の有する階調値を液晶ライトバルブで表示するのに適した階調値に変換するγ補正処理などが含まれている。
また、映像信号処理部１８には、ＯＳＤ（On Screen Display）メモリ（図示せず）が含まれており、例えば、映像ソースの選択状況を示す「ＤＶＤ」，「コンピュータ」などの文字や、操作メニュー画面、会議予約システムにおける予約時間終了画面などが記憶されている。
【００３５】
液晶パネル駆動部１９は、液晶ライトバルブに映像信号Voutと、駆動電圧などを供給し、液晶ライトバルブに映像を写し出す。
ランプ駆動部２０は、電源部２１からの電力供給を受け、ランプ９を点灯させるために高電圧を発生して放電経路を形成するイグナイタ回路と、点灯後の安定した点灯状態を維持するためのバラスト回路（いずれも図示せず）とを含んで構成されている。
電源部２１は、外部電源５５からの交流電力をプラグから導き、内蔵するＡＣ／ＤＣ変換部（いずれも図示せず）にて変圧、整流および平滑するなどの処理を施すことにより安定化させた直流電圧をプロジェクタ３ｃの各部に供給する。電源部２１は、待機モードにおいても、操作受付け部１２、制御部１３、記憶部１４、Ｉ／Ｏブリッジ部１５、ＬＡＮカード１６、機器通信部１７などに電力を供給する。
【００３６】
続いて、クライアント５の概略構成について説明する。
クライアント５は、表示部３１、ＣＬ電源部３２、ＣＬ通信部３４、ハードディスク３５、ＣＬＩ／Ｏブリッジ部３３、ＣＬＬＡＮカード３６、ＣＬ制御部３７、ＣＬ記憶部３８、ＣＬ操作部３９、ＣＬ操作受付け部４０などから構成されている。
表示部３１は、例えば、ＴＦＴ（Thin Film Transistor）駆動によるアクティブマトリクス駆動方式のカラー液晶パネルである。
ＣＬ電源部３２は、例えば充電式のリチウムイオン電池であり、外部電源から供給された電力を蓄え、直流電圧をクライアント５の各部に供給する。
【００３７】
ＣＬ通信部３４は、無線ＬＡＮカードであり、例えばIEEE 802.11b，IEEE 802.11gなどの無線ＬＡＮ規格に対応した無線ＬＡＮカードである。なお、ＣＬ通信部３４は、無線ＬＡＮカードに限定するものではない。例えば、ＵＳＢポートへ接続する無線ＬＡＮアダプタであっても良いし、ＰＣＩバス対応の内蔵型の無線ＬＡＮボードであっても良い。
ハードディスク３５は、ＩＤＥ（Integrated Drive Electronics）に対応したハードディスクであり、基本ソフトであるＯＳ（Operating System）や、ブラウザ、文書作成やプレゼンテーションに用いられる各種ビジネス用ソフトや、会議予約サブプログラムなどのプログラム、および付随するデータを記憶している。付随するデータには、予約サーバ１から会議予約時に発行された予約キーとしての予約ＩＤや、会議予約システムにおける予約時間終了画面などが含まれる。なお、これらのプログラムおよびデータは、ＣＬ記憶部３８に記憶されていても良い。
【００３８】
ＣＬＩ／Ｏブリッジ部３３は、サウスブリッジであり、ＣＬ通信部３４の無線ＬＡＮカードを制御するためのＰＣＭＣＩＡに対応したカードコントローラや、ハードディスク３５を制御するためのＩＤＥコントローラなどの各種デバイスコントローラを搭載している。
ＣＬＬＡＮカード３６は、ＬＡＮカードであり、ケーブルを挿し込むことによりＬＡＮ７に接続する。
ＣＬ制御部３７は、ＣＰＵ（Central Processing Unit）であり、バスラインＢusを介して、各部との信号のやり取りや、各部の動作を制御する。
ＣＬ記憶部３８は、例えば、フラッシュメモリなどデータの書き換えが可能な不揮発性のメモリにより構成されている。
ＣＬ操作部３９は、キーボードおよびマウスであり、例えば、マウスにより会議予約サブプログラムが選択および実行され、キーボードにより会議の予約入力が行なわれる。
ＣＬ操作受付け部４０は、操作部３９への操作がなされると、操作を受付け、ＣＬ制御部３７へ各種動作のトリガとなる操作信号を送る
【００３９】
《会議予約処理の一態様》
図３（ａ），（ｂ）は、予約サーバ１の予約テーブルにおける予約画面の一態様を示す図である。
ここでは、図３（ａ），（ｂ）を主体に、適宜図２を交えて、クライアント５による予約サーバ１の予約テーブルへの会議予約処理の一態様について説明する。
クライアント５には、ＬＡＮ７に接続した状態で、会議予約サブプログラムを実行するための操作がなされた。クライアント５は、予約サーバ１の予約テーブルにアクセスし、予約画面を読み込む。
【００４０】
これにより、クライアント５の表示部３１には、図３（ａ）に示される予約画面としての予約入力画面５１が表示される。予約入力画面５１には、会議室の選択、および会議日時、会議名、主催者、予約ＩＤの任意文字などを入力するための複数の入力窓４１が設けられている。
会議室の選択を行う窓の右側には「黒塗り三角」記号が表示されている。これは、選択可能な会議室を表示するための選択タグであり、「黒塗り三角」記号を操作部３９のマウスで押すと、会議室の一覧が表示され、その中から所望の会議室を選択することができる。
予約入力画面５１は、「会議室Ｋ１」が選択された状態となっており、「会議室Ｋ１」の収容人数は６人であること、および「会議室Ｋ１」に設置されている電子機器を含む備品は「プロジェクタ」と、「スクリーン」と、「ＤＶＤプレーヤ」であることなど、選択した会議室の情報を示している。
また、予約ＩＤの任意文字は、半角８文字の範囲内であれば、会議予約者の任意の文字設定が可能となっている。
【００４１】
会議の予約者により、会議室が選択され、会議日時、会議名、主催者、予約ＩＤの任意文字が入力され、さらに使用機器が選択されてから、予約入力画面５１右下の予約ボタン４２が押されると、当該予約情報は、予約サーバ１に送信され、予約可能かどうか確認がなされる。当該予約情報が、既に予約テーブルに予約されている内容と重複した場合、その旨と、使用可能な時間帯を表示した画面（図示せず）が表示され、再設定を促す。
なお、会議室の予約可能な時間帯を調べる方法としては、例えば、会議室が選択されて、会議日時が入力された段階で、クライアント５が予約テーブルを参照し、予約可能かどうかを表示する方法であっても良いし、当該会議室における予約当日の予約タイムテーブルを表示する方法であっても良い。
【００４２】
予約サーバ１に送信された予約情報が、予約テーブルの既存の予約内容と重複がなく、予約が確定された場合、図３（ｂ）に示される予約画面としての予約確定画面５２が表示される。
予約確定画面５２には、確定した予約内容が表示されている。予約内容は、「会議室Ｋ３」にて、「２００５年３月３０日、１０〜１２時」まで、「Ｆ企画推進会議」を、「商品企画Ｇ、佐藤」さんが行うというものである。当該会議にて使用する機器として、「プロジェクタ」と、「スクリーン」と、「電子黒板」とが「黒塗り四角」記号に示されるように会議室と一緒に予約されている。
【００４３】
また、予約キーとしての予約ＩＤは、１６文字のデータ「FPPROJECT5CT24A051」として登録されている。予約ＩＤの中で、前半の８文字「FPROJECT」は、任意文字として会議予約者が、入力したものである。後半の８文字「5CT24A051」は、予約サーバ１が会議予約プログラムに従い一意に設定したものである。
予約サーバ１は、予約ＩＤ「FPPROJECT5CT24A051」を、クライアント５に発行する。クライアント５は、発行された予約ＩＤ「FPPROJECT5CT24A051」、および予約確定画面５２の会議日時をハードディスク３５に記憶する。
なお、予約確定画面５２の内容を変更または取消ししたい場合には、画面右下の変更ボタン４３を押すことにより、予約確定画面５２での選択および入力内容を残した状態で、予約入力画面５１に戻り、再度、選択および入力が可能となる。予約の変更または取消しは、予約したクライアントから行うことができる。
また、これらの予約画面は、ＬＡＮ７において公開されており、会議予約サブプログラムがインストールされ、ＬＡＮ７に接続されたクライアントであれば、自由に閲覧することができる。
【００４４】
《予約実行および接続処理》
図４は、本発明の会議予約システムにおける予約実行処理に係る第１の態様を示すフローチャートである。具体的には、予約した会議時間になってからのプロジェクタと、クライアントとの、それぞれの処理の流れを示している。図４の左側は、プロジェクタの動作を示すフローチャート、右側は、それに対応するクライアントの動作を示すフローチャートである。
ここでは、クライアント５により事前に図３（ｂ）に示す会議の予約がなされた後、クライアント５が、予約会議時間前に「会議室Ｋ３」に持ち込まれたものとして、図４を中心に、適宜図２を交えて説明する。クライアント５は、スタンドアローンの状態で動作しており、会議予約サブプログラムが駐在している。また、プロジェクタ３ｃには、リモート接続プログラムが駐在している。
【００４５】
まず、プロジェクタ３ｃのフローチャートから説明する。会議の予約時間になると予約サーバ１は、ＬＡＮ７を経由してプロジェクタ３ｃに起動信号を送付し、一定時間経過した後に、さらに接続情報を送る。
接続情報には、会議の予約時間に関する情報と、無線ＬＡＮの通信規定に関する情報が含まれている。無線ＬＡＮの通信規定に関する情報には、少なくとも予約ＩＤと、予約したクライアントおよび、予約された会議室のプロジェクタのＩＰアドレス、無線ＬＡＮにおける識別子であるＥＳＳＩＤ（Extended Service Set Identifier）、無線通信の暗号化に関する識別子であるＷＥＰ（Wired Equivalent Privacy）などが含まれている。
ステップＳ６１では、制御部１３は、ＬＡＮカード１６に入力した予約サーバ１からの起動信号をＩ／Ｏブリッジ部１５を介して受信し、プロジェクタ３ｃを起動するとともに、各部の初期化を行う。
ステップＳ６２では、制御部１３は、ＬＡＮカード１６に入力した予約サーバ１からの接続情報をＩ／Ｏブリッジ部１５を介して受信し、機器通信部１７の無線ＬＡＮカードを接続情報により設定する。また、接続情報の会議予約時間に関する情報を、記憶部１４に記憶する。
ステップＳ６３では、制御部１３は、クライアントからの予約ＩＤを含んだ認証信号の受信の有無を、機器通信部１７からの受信信号の有無により判断する。認証信号を受信した場合には、ステップＳ６４へ進む。認証信号を受信しない場合には、ステップＳ７３へ進む。
【００４６】
ステップＳ６４では、制御部１３は、ステップ６２で受信した接続情報に含まれる予約ＩＤと、クライアントから受信した認証信号の予約ＩＤとを比較し、予約ＩＤが一致した場合は、ステップＳ６５へ進む。予約ＩＤが一致しなかった場合は、ステップＳ７３へ進む。
ステップＳ６５では、制御部１３は、予約ＩＤが一致したことから認証信号を送ってきたクライアントが予約を行ったクライアント５であると識別して、クライアント５に接続情報を送信する。
ステップＳ６６では、制御部１３は、機器通信部１７の無線ＬＡＮカードにより、クライアント５と、無線ＬＡＮのアドホックモードで接続する。
ステップＳ６７では、制御部１３は、無線ＬＡＮを介して映像信号Vinが入力されているかどうか、例えば、映像信号Vinの同期信号の有無により判断する。映像信号Vinが入力されている場合は、ステップＳ６８へ進む。映像信号Vinが入力されていない場合は、ステップＳ７４へ進む。
ステップＳ６８では、制御部１３は、映像信号Vinにて表される映像を各部により投写させる。
【００４７】
ステップＳ６９では、制御部１３は、クライアント５からの無線ＬＡＮによる接続を切断するための切断信号を受信したかどうか確認し、受信していない場合は、ステップＳ７０へ進む。受信した場合は、ステップＳ７２へ進む。
ステップＳ７０では、制御部１３は、予約されている会議の予約時間が終了したかどうか確認し、予約時間が終了した場合は、ステップＳ７１へ進む。予約時間に達していない場合は、ステップＳ６７に戻る。
ステップＳ７１では、制御部１３は、予約時間が終了したことから、予約時間が終了したことを示す、例えば、「予約時間が終了しました。間もなく自動的に電源を落とします」という文字を、映像信号処理部のＯＳＤメモリから読み出し、例えば、約１０秒間投写映像に重畳させる。
ステップＳ７２では、制御部１３は、機器通信部１７の無線ＬＡＮカードによる無線ＬＡＮ接続を切断し、各部をシャットダウンする。
【００４８】
続いて、ステップＳ６３で認証信号を受信しなかった場合、およびステップＳ６４で、予約ＩＤが一致しなかった場合について説明する。
ステップＳ７３では、制御部１３は、予約されている会議の予約時間が終了したかどうか確認し、予約時間が終了した場合は、ステップＳ７２へ進み、各部をシャットダウンする。予約時間に達していない場合は、ステップＳ６３に進み認証信号を待ち受ける。
続いて、ステップＳ６７で映像信号Vinが入力されていない場合について説明する。
ステップＳ７４では、制御部１３は、映像信号Vinの入力がないと判断された時点を起点として、例えば、５分間として設定されている待ち受け時間の計時を開始する。待ち受け時間に達しない間は、ステップＳ６７に戻り映像信号Vinの入力を待ち受ける。待ち受け時間が経過した場合は、映像信号Vinが来ないものと判断し、ステップＳ７２に進み、各部をシャットダウンする。
【００４９】
続いて、クライアント５のフローチャートについて説明する。
ステップＳ８０では、ＣＬ制御部３７は、駐在している会議予約サブプログラム会議に従い、会議の予約時間になったかどうか確認し、予約時間となったら、ステップＳ８１へ進む。予約時間に達していない場合は、予約時間になるまで待つ。なお、ここでは、クライアント５は、既に動作状態であるものとして説明しているが、例えば、予約時間の１分前になると起動するという処理が会議予約サブプログラムに含まれていても良い。
ステップＳ８１では、ＣＬ制御部３７は、会議予約時に予約サーバ１から発行された予約ＩＤを含む認証信号を、ＣＬ通信部３４によりブロードキャストに送信させる。
ステップＳ８２では、ＣＬ制御部３７は、プロジェクタ３ｃからの接続情報を受信したか確認し、受信した場合は、ステップＳ８３へ進む。接続情報を受信しなかった場合は、ステップＳ８８へ進む。
ステップＳ８３では、ＣＬ制御部３７は、ＣＬ通信部３４の無線ＬＡＮカードの既存の設定情報（以降、「初期設定値」という）をＣＬ記憶部３８に保存し、ステップＳ８２で受信した接続情報をＣＬ通信部３４に設定する。
【００５０】
ステップＳ８４では、ＣＬ制御部３７は、ＣＬ通信部３４の無線ＬＡＮカードにより、プロジェクタ３ｃと、無線ＬＡＮのアドホックモードで接続する。
ステップＳ８５では、ＣＬ制御部３７は、例えば、プレゼンのためのアプリケーションソフトの画面を映像信号VinとしてＣＬ通信部３４によりプロジェクタ３ｃに送信させる。
ステップＳ８６では、ＣＬ制御部３７は、予約されている会議の予約時間が終了したかどうか確認し、予約時間が終了した場合は、ステップＳ８７へ進む。予約時間に達していない場合は、ステップＳ８５に戻り、映像信号Vinの送信を継続する。
ステップＳ８７では、ＣＬ制御部３７は、ＣＬ通信部３４の無線ＬＡＮカードの設定を、ＣＬ記憶部３８に記憶していた初期設定値に戻す。
【００５１】
続いて、ステップＳ８２で接続情報を受信しなかった場合について説明する。
ステップＳ８８では、ＣＬ制御部３７は、所定の時間、例えば３０秒間待機した後、ステップＳ８９へ進む。
ステップＳ８９では、ＣＬ制御部３７は、予約されている会議の予約時間が終了したかどうか確認し、予約時間が終了した場合は、会議予約サブプログラムによる処理を終了する。予約時間に達していない場合は、ステップＳ８１に戻り、再度、認証信号を送信する。
会議予約サブプログラムには、予約時間が終了する前であっても、プロジェクタとの接続を切断することが可能な機能が含まれている。クライアント５は、操作者によりプロジェクタとの接続を切断する操作がなされると、予約時間が終了する前であっても切断信号をプロジェクタ３ｃに送信する。
【００５２】
なお、前記会議の予約時間の後に連続する別会議の予約がなく、空き時間がある場合、会議の延長を可能とするプログラムとなっていても良い。この場合、予約サーバ１は、会議の予約終了時間の、例えば１分前になるとＬＡＮ７を経由してプロジェクタ３ｃに、会議の延長可能な時間情報を含んだ延長情報を送る。
延長情報を受信したプロジェクタ３ｃは、「予約時間が終了します。３０分の延長が可能です。延長するときは、延長操作をして下さい。」というＯＳＤ表示を行う。
ここでリモコン１１により延長操作がなされると、プロジェクタ３ｃは、記憶部１４の会議予約時間を延長情報に応じて更新するとともに、延長操作がなされたことを示す延長確定情報を、ＬＡＮ７を経由して予約サーバ１に、そして機器通信部１７からクライアント５に、それぞれ送信する。
延長確定情報を受信したクライアント５は、ハードディスク３５の会議時間を延長情報に応じて更新する。これにより、会議時間を延長することが可能となる。
【００５３】
上述した通り、本実施形態によれば以下の効果が得られる。
（１）予約サーバ１は、クライアント５により予約テーブルに会議室Ｋ３およびプロジェクタ３ｃの予約がなされると、予約したクライアント５と、予約テーブルに記憶された予約内容とを照合するための予約ＩＤをクライアント５に発行し、さらに予約された会議時間になるとプロジェクタ３ｃの電源をオンした後に、プロジェクタ３ｃがクライアント５と無線ＬＡＮにより接続するのに必要な予約ＩＤを含む接続情報をプロジェクタ３ｃに送付することから、プロジェクタ３ｃは、予約時間になると起動し、クライアント５と無線接続するための準備を始める。
プロジェクタ３ｃは、接続情報により機器通信部１７を設定した後に、クライアント５からの予約ＩＤを含む認証信号を待ち受け、クライアント５からの認証信号を受信すると、認証信号に含まれる予約ＩＤと、接続情報の予約ＩＤとを照合し、予約ＩＤが一致した場合に、クライアント５に接続情報を送信することから、プロジェクタ３ｃは、予約したクライアント５が確認できると、クライアント５に接続情報を送信し、無線接続可能な状態に導く。接続情報を受信したクライアント５は、接続情報により、プロジェクタ３ｃとの無線接続を確立する。
従って、会議予約システム１００によれば、予約時間になると、会議室に設置された電子機器としてのプロジェクタ３ｃと、クライアント５とが容易に無線により接続することができる。
【００５４】
（２）クライアント５は、プロジェクタ３ｃからの接続信号が受信できなかった場合、所定の時間として、例えば３０秒間経過した後、再度認証信号を送信し、接続信号が受信できるか、予約時間が終了するまでの間、認証信号の送信と、接続信号の待ち受けを繰り返す。
よって、会議予約システム１００のクライアントによれば、突発的なノイズなどに起因する通信障害があっても、確実に接続信号を受信し接続を確立することができる。
【００５５】
（３）予約サーバ１の予約テーブルによる会議室および電子機器の予約は、予約サーバ１およびクライアントが接続するＬＡＮ７上で公開して行なわれることから、会議予約システム１００の使用者は、会議室および電子機器の既存の予約状況を確認しながら、各自必要な予約を行うことができる。
従って、会議予約システム１００によれば、効率的に会議室および電子機器の予約を行うことができる。
【００５６】
（４）電子機器の予約は、選択した会議室に設置されている電子機器の一覧の中から所望の電子機器を選択することによりなされることから、電子機器の予約のために新たに専用の画面を開くなどの操作が不要であり、会議室の予約時のオプションとして簡便に予約することができる。
従って、会議予約システム１００によれば、会議室および電子機器の予約を簡便に行うことができる。
【００５７】
（５）接続情報に含まれる情報は、予約ＩＤに加えて、プロジェクタおよびクライアントコンピュータのＩＰアドレス、無線通信の識別子であるＥＳＳＩＤ、無線通信の暗号化に関する識別子であるＷＥＰなどを含むことから、接続情報には、機密を保持しながら無線通信を行うために必要な情報が含まれている。
従って、会議予約システム１００によれば、プロジェクタと、クライアントとが機密を保持しながら無線通信を行うことができる。
【００５８】
（６）予約ＩＤは、一意に定められる文字列と、任意に定められる文字列とから構成されていることから、会議の予約者は、任意に定められる文字列に識別のための文字をあてがうことができる。
よって、会議予約システム１００によれば、会議の予約者は、予約ＩＤの任意文字列から、予約した会議内容を喚起することができる。
【００５９】
（７）プロジェクタ３ｃは、会議の予約時間が終了すると、予約時間が終了したことを示す、例えば、「予約時間が終了しました。間もなく自動的に電源を落とします」という文字を重畳させた映像を投写することから、会議の出席者に、予約された会議時間が終了したことを知らしめることができる。
【００６０】
（８）電子機器としてのプロジェクタ３ｃは、常時ＬＡＮ７を介して予約サーバ１からのアクセスが可能となっていること以外は、一般のプロジェクタと同様の構成である。また、外部機器からのアクセス権の管理は、ソフトウエアにより行なわれている。
よって、専用の構成を必要としない会議予約システム１００のプロジェクタを提供することができる。
【００６１】
（９）クライアント５は、会議予約サブプログラムがインストールされていること以外は、一般のパーソナルコンピュータと同様である。
よって、専用の構成を必要としない会議予約システム１００のクライアントを提供することができる。
【００６２】
（１０）会議予約システム１００は、予約サーバ１００に駐在している会議予約プログラム、およびプロジェクタ３ｃに駐在しているリモート接続プログラム、クライアント５にインストールされた会議予約サブプログラムなどの専用ソフトウエアと、汎用機器である予約サーバ、プロジェクタ、クライアント、および汎用ネットワークＬＡＮ７により構成されている。
よって、会議予約システム１００は、専用のハードウエア構成を必要とせず、既存の電子機器の流用による簡便な構成により構築することができる。
【００６３】
（１１）クライアント５は、会議の予約時間が終了すると、ＣＬ通信部３４の設定を、会議が始まる前の初期設定に戻すことから、会議の予約者は、ＣＬ通信部３４の設定を戻すという煩わしい作業をしなくても良い。
【００６４】
（実施形態２）
《第２の接続処理態様》
図５は、本発明の会議予約システムにおける予約実行処理に係る第２の態様を示すフローチャートである。会議予約システム１００は、実施形態１での説明と同様の構成を有している。第２の態様は、プロジェクタのリモート接続プログラムと、クライアントの会議予約サブプログラムとの予約実行処理の役割りおよび順番などが、第１の態様と異なる。
ここでは、予約した会議時間になってからのプロジェクタと、クライアントとの、それぞれの処理の流れについて説明する。図５の左側は、プロジェクタの動作を示すフローチャート、右側は、それに対応するクライアントの動作を示すフローチャートである。
以下、クライアント５により事前に図３（ｂ）に示す会議の予約がなされ、クライアント５が、予約会議時間前に「会議室Ｋ３」に持ち込まれたものとして、図５を中心に、適宜図２を交えて説明する。クライアント５は、起動操作待ちの待機状態となっているが、会議予約サブプログラムが駐在している。また、プロジェクタ３ｃには、リモート接続プログラムが駐在している。
【００６５】
まず、プロジェクタ３ｃのフローチャートから説明する。会議の予約時間になると予約サーバ１は、ＬＡＮ７を経由してプロジェクタ３ｃに起動信号を送付し、一定時間経過した後に、さらに接続情報を送る。
ステップＳ１１１では、制御部１３は、ＬＡＮカード１６に入力した予約サーバ１からの起動信号をＩ／Ｏブリッジ部１５を介して受信し、プロジェクタ３ｃを起動するとともに、各部の初期化を行う。
ステップＳ１１２では、制御部１３は、ＬＡＮカード１６に入力した予約サーバ１からの接続情報をＩ／Ｏブリッジ部１５を介して受信し、機器通信部１７の無線ＬＡＮカードを接続情報により設定する。また、接続情報の会議予約時間に関する情報を、記憶部１４に記憶する。
ステップＳ１１３では、制御部１３は、接続情報の予約ＩＤを含む認証信号を、機器通信部１７によりブロードキャストに送信させる。
ステップＳ１１４では、制御部１３は、クライアント５からの予約ＩＤが一致したことを示す適合信号を受信したか確認し、受信した場合は、ステップＳ１１５へ進む。適合信号を受信しなかった場合は、ステップＳ１２２へ進む。
【００６６】
ステップＳ１１５では、制御部１３は、予約サーバ１から受信した接続情報を、クライアント５へ送信する。
ステップＳ１１６では、制御部１３は、機器通信部１７の無線ＬＡＮカードにより、クライアント５と、無線ＬＡＮのアドホックモードで接続する。
ステップＳ１１７では、制御部１３は、無線ＬＡＮを介して映像信号Vinが入力されているかどうか、例えば、映像信号Vinの同期信号の有無により判断する。映像信号Vinが入力されている場合は、ステップＳ１１８へ進む。映像信号Vinが入力されていない場合は、ステップＳ１２４へ進む。
ステップＳ１１８では、制御部１３は、映像信号Vinにて表される映像を各部により投写させる。
ステップＳ１１９では、制御部１３は、クライアント５からの無線ＬＡＮによる接続を切断するための切断信号を受信したかどうか確認し、受信していない場合は、ステップＳ１２０へ進む。受信した場合は、ステップＳ１２１へ進む。
【００６７】
ステップＳ１２０では、制御部１３は、予約されている会議の予約時間が終了したかどうか確認し、予約時間が終了した場合は、ステップＳ１２１へ進む。予約時間に達していない場合は、ステップＳ１１７に戻る。
ステップＳ１２１では、制御部１３は、機器通信部１７の無線ＬＡＮカードによる無線ＬＡＮ接続を切断し、各部をシャットダウンする。
続いて、ステップＳ１１４で適合信号を受信できなかった場合について説明する。
ステップＳ１２２では、制御部１３は、所定の時間、例えば３０秒間待機した後、ステップＳ１２３へ進む。
ステップＳ１２３では、制御部１３は、予約されている会議の予約時間が終了したかどうか確認し、予約時間が終了した場合は、ステップＳ１２１に進み、各部をシャットダウンする。予約時間に達していない場合は、ステップＳ１１３に戻り、再度、認証信号を送信する。
続いて、ステップＳ１１７で映像信号Vinが入力されていない場合について説明する。
ステップＳ１２４では、制御部１３は、映像信号Vinの入力がないと判断された時点を起点として、例えば、５分間として設定されている待ち受け時間の計時を開始する。待ち受け時間に達しない間は、ステップＳ１１７に戻り映像信号Vinの入力を待ち受ける。待ち受け時間が経過した場合は、映像信号Vinが来ないものと判断し、ステップＳ１２１に進み、各部をシャットダウンする。
【００６８】
続いて、クライアント５のフローチャートについて説明する。
ステップＳ１４１では、ＣＬ制御部３７は、駐在している会議予約サブプログラム会議に従い、会議の予約時間の１分前になったかどうか確認し、予約時間の１分前となったら、ステップＳ１４２へ進む。予約時間の１分前に達していない場合は、それまで待つ。
なお、ここでは、クライアント５は、待機状態であるものとして説明しているが、例えば、動作状態であった場合には、ステップＳ１４１〜２を経ずに、予約時間となったらステップＳ１４３へ進む。
ステップＳ１４２では、ＣＬ制御部３７は、各部を起動し初期化を行う。
ステップＳ１４３では、ＣＬ制御部３７は、プロジェクタからの予約ＩＤを含んだ認証信号の受信の有無を、ＣＬ通信部１７からの受信信号の有無により判断する。認証信号を受信した場合には、ステップＳ１４４へ進む。認証信号を受信しない場合には、ステップＳ１５３へ進む
ステップＳ１４４では、ＣＬ制御部３７は、ステップ１４３で受信した接続情報に含まれる予約ＩＤと、予約サーバ１が発行した予約ＩＤとを比較し、予約ＩＤが一致した場合は、ステップＳ１４５へ進む。予約ＩＤが一致しなかった場合は、ステップＳ１５３へ進む。
【００６９】
ステップＳ１４５では、ＣＬ制御部３７は、予約ＩＤが一致したことから認証信号を送ってきたプロジェクタが会議室Ｋ３のプロジェクタ３ｃであると識別して、プロジェクタ３ｃに適合情報を送信する。
ステップＳ１４６では、ＣＬ制御部３７は、プロジェクタ３ｃからの接続情報を受信したか確認し、受信した場合は、ステップＳ１４７へ進む。接続情報を受信しなかった場合は、ステップＳ１５４へ進む。
ステップＳ１４７では、ＣＬ制御部３７は、ＣＬ通信部３４の無線ＬＡＮカードの初期設定情報をＣＬ記憶部３８に保存し、ステップＳ１４６で受信した接続情報をＣＬ通信部３４に設定する。
ステップＳ１４８では、ＣＬ制御部３７は、ＣＬ通信部３４の無線ＬＡＮカードにより、プロジェクタ３ｃと、無線ＬＡＮのアドホックモードで接続する。
ステップＳ１４９では、ＣＬ制御部３７は、例えば、プレゼンのためのアプリケーションソフトの画面を映像信号VinとしてＣＬ通信部３４によりプロジェクタ３ｃに送信させる。
【００７０】
ステップＳ１５０では、ＣＬ制御部３７は、予約されている会議の予約時間終了の３０秒前になったかどうか確認し、予約時間終了の３０秒前になった場合は、ステップＳ１５１へ進む。予約時間終了の３０秒前に達していない場合は、ステップＳ１４９に戻り、映像信号Vinの送信を継続する。
ステップＳ１５１では、ＣＬ制御部３７は、予約時間終了の３０秒前になったことから、予約時間終了することを示す、例えば、「予約時間が終了します。間もなく自動的に電源を落とします。」という文字を含む画面を、ハードディスク３５から読み出し、映像信号Vinとして送信する。この映像信号Vinは、約３０秒間送信される。
ステップＳ１５２では、ＣＬ制御部３７は、ＣＬ通信部３４の無線ＬＡＮカードの設定を、記憶部３８に記憶していた初期設定値に戻す。
【００７１】
続いて、ステップＳ１４３で認証信号を受信しなかった場合、およびステップＳ１４４で、予約ＩＤが一致しなかった場合について説明する。
ステップＳ１５３では、ＣＬ制御部３７は、予約されている会議の予約時間が終了したかどうか確認し、予約時間が終了した場合は、会議予約サブプログラムによる接続処理を終了する。予約時間に達していない場合は、ステップＳ１４３に戻り認証信号を待ち受ける。
続いて、ステップＳ１４６で接続情報を受信しなかった場合について説明する。
ステップＳ１５４では、ＣＬ制御部３７は、所定の時間、例えば３０秒間待機した後、ステップＳ１５５へ進む。
【００７２】
ステップＳ１５５では、ＣＬ制御部３７は、予約されている会議の予約時間が終了したかどうか確認し、予約時間が終了した場合は、会議予約サブプログラムによる接続処理を終了する。予約時間に達していない場合は、ステップＳ１４５に戻り、再度、適合信号を送信する。
会議予約サブプログラムには、予約時間が終了する前であっても、プロジェクタとの接続を切断することが可能な機能が含まれている。クライアント５は、操作者によりプロジェクタとの接続を切断する操作がなされると、予約時間が終了する前であっても切断信号をプロジェクタ３ｃに送信する。
【００７３】
なお、前記会議の予約時間の後に連続する別会議の予約がなく、空き時間がある場合、会議の延長を可能とするプログラムとなっていても良い。この場合、予約サーバ１は、会議の予約終了時間の、例えば３０秒前になるとＬＡＮ７を経由してプロジェクタ３ｃに、会議の延長可能な時間情報を含んだ延長情報を送る。
プロジェクタ３ｃは、受信した延長情報を、機器通信部１７によりクライアント５に送る。延長情報を受信したクライアント５は、例えば、「予約時間が終了します。１時間の延長が可能です。延長するときは、延長操作をして下さい。」という表示を行う。
ここで操作部３９により延長操作がなされると、クライアント５は、ハードディスク３５の会議時間を延長情報に応じて更新するとともに、延長操作がなされたことを示す延長確定情報を、ＣＬ通信部３４からプロジェクタ３ｃに送信する。
延長確定情報を受信したプロジェクタ３ｃは、記憶部１４の会議予約時間を更新するとともに、ＬＡＮ７を経由して予約サーバ１に延長確定情報を送信する。これにより、会議時間を延長することが可能となる。
【００７４】
上述した通り、本実施形態によれば前記実施形態の効果（３）〜（１１）に加えて、以下の効果が得られる。
（１）予約サーバ１は、クライアント５により予約テーブルに会議室Ｋ３およびプロジェクタ３ｃの予約がなされると、予約したクライアント５と、予約テーブルに記憶された予約内容とを、照合するための予約ＩＤをクライアント５に発行し、さらに予約された会議時間になるとプロジェクタ３ｃの電源をオンした後に、プロジェクタ３ｃがクライアント５と無線ＬＡＮにより接続するのに必要な予約ＩＤを含む接続情報をプロジェクタ３ｃに送付することから、プロジェクタ３ｃは、予約時間になると起動し、クライアント５と無線接続するための準備を始める。
【００７５】
プロジェクタ３ｃは、接続情報により機器通信部１７を設定した後、広域に予約ＩＤを含む認証信号を送信し、クライアント５は、プロジェクタ３ｃからの認証信号を受信すると、認証信号に含まれる予約ＩＤと、予約サーバ１から発行された予約ＩＤとを照合し、予約ＩＤが一致した場合に、プロジェクタ３ｃに適合信号を送信し、適合信号を受信したプロジェクタ３ｃは、クライアント５に接続情報を送信することから、プロジェクタ３ｃは、予約したクライアント５が確認できると、クライアント５に接続情報を送信し、無線接続可能な状態に導く。接続情報を受信したクライアント５は、接続情報により、プロジェクタ３ｃとの無線接続を確立する。
従って、会議予約システム１００によれば、予約時間になると、会議室に設置された電子機器としてのプロジェクタ３ｃと、クライアント５とが容易に無線により接続することができる。
【００７６】
（２）待機状態で会議室Ｋ３に持ち込まれたクライアント５は、予約された会議の予約時間の１分前になると、駐在している会議予約サブプログラムにより起動し、予約時間には、プロジェクタからの認証信号の待ち受け状態となっている。
よって、予約時間に合わせて自動的に起動することができる会議予約システム１００のクライアント５を提供することができる。
【００７７】
（３）プロジェクタ３ｃは、クライアント５からの適合信号が受信できなかった場合、所定の時間として、例えば３０秒間経過した後、再度認証信号を送信し、適合信号が受信できるか、予約時間が終了するまでの間、認証信号の送信と、適合信号の待ち受けを繰り返す。
よって、会議予約システム１００のプロジェクタによれば、突発的なノイズなどに起因する通信障害があっても、確実に接続信号を受信し接続を確立することができる。
【００７８】
（４）クライアント５は、会議の予約時間終了の３０秒前になると、予約時間が終了したことを示す、例えば、「予約時間が終了します。間もなく自動的に電源を落とします。」という文字を重畳させた映像信号を送信することから、会議の出席者に、予約された会議時間が終了することを知らしめることができる。
【００７９】
なお、本発明は上述した実施形態に限定されず、上述した実施形態に種々の変更や改良などを加えることが可能である。変形例を以下に述べる。
【００８０】
（変形例１）
図３（ｂ）を用いて説明する。前記各実施形態において、予約ＩＤは、ＬＡＮ７を介して全てのクライアントに公開されることとして説明したが、これに限定するものではない。例えば、予約を行なったクライアント以外のクライアントからは、予約画面上で予約ＩＤがブランク表示となるように設定しても良い。または、「****************」表示としても良い。
これにより、予約当時者以外の第３者に予約ＩＤが知られてしまう可能性が減ることから、予約ＩＤが第３者により不正使用されることを防止することができる。
【００８１】
（変形例２）
図２を用いて説明する。前記各実施形態および変形例において、電子機器としてのプロジェクタ３ｃは、常時ＬＡＮ７を介して予約サーバ１からのアクセスが可能となっていること以外は一般のプロジェクタと同様の構成であり、外部機器からのアクセス権の管理は、ソフトウエアにより行なわれるものとして説明したが、これに限定するものではない。
例えば、ＬＡＮカード１６にＣＰＵおよび不揮発性メモリを含んだリモート制御部（図示せず）を設けて、受信した予約サーバ１からの起動信号および接続情報に応じて、プロジェクタ３ｃの各部を制御する構成としても良い。
同様に、クライアント５のＣＬＬＡＮカード３６にも同様のリモート制御部（図示せず）を設けて、予約サーバ１から発行された予約ＩＤおよび記憶している会議日時などに応じて、クライアント５の各部を制御する構成としても良い。
これらの構成であっても、図４および図５で示した処理が行えることから、予約時間になると、会議室に設置された電子機器としてのプロジェクタと、クライアントとが容易に無線により接続することができる予約会議システムを提供することができる。
【００８２】
（変形例３）
図２を用いて説明する。前記実施形態および変形例において、プロジェクタは、光変調素子として３枚の液晶ライトバルブ３Ｒ，３Ｇ，３Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。
これらの構成であっても、前記実施形態および変形例と同様の作用効果を得ることができる。
【００８３】
（変形例４）
図１を用いて説明する。前記各実施形態におよび変形例において、会議室ごとに設置された電子機器はプロジェクタであるものとして説明したが、プロジェクタに限定するものではない。
例えば、ＣＲＴディスプレイ、液晶ディスプレイ、プラズマディスプレイ、有機ＥＬディスプレイ、リアプロジェクタなどにも適応することが可能であり、前記実施形態および変形例と同様の作用効果を得ることができる。
【図面の簡単な説明】
【００８４】
【図１】会議予約システムの一実施形態における構成図。
【図２】会議予約システムにおけるプロジェクタおよびクライアントの概略構成図。
【図３】（ａ）予約テーブルの予約入力画面の一態様を示す図。（ｂ）予約テーブルの予約確定画面の一態様を示す図。
【図４】予約実行処理に係る第１の態様を示すフローチャート。
【図５】予約実行処理に係る第２の態様を示すフローチャート。
【符号の説明】
【００８５】
１…サーバとしての予約サーバ、３ａ〜３ｎ…電子機器としてのプロジェクタ、５…クライアントコンピュータ、７…ネットワークとしてのＬＡＮ、１３…制御部、１４…記憶部、１５…Ｉ／Ｏブリッジ部、１６…ＬＡＮカード、１７…機器通信部、３４…クライアント通信部としてのＣＬ通信部、３５…ハードディスク、３６…ＣＬＬＡＮカード、３７…ＣＬ制御部、３９…操作部、５１…予約画面としての予約入力画面、５２…予約画面としての予約確定画面、１００…会議予約システム、ＳＣ…スクリーン、Ｋ１〜Ｋｎ…会議室。
【図１】
2006309297.tif 000003
【図２】
2006309297.tif 000004
【図３】
2006309297.tif 000005
【図４】
2006309297.tif 000006
【図５】
2006309297.tif 000007